(57)【特許請求の範囲】
【請求項１】
湯水を吐出する吐出口を有するシャワーヘッドと、シャワーヘッドを着脱自在で保持する保持部を有するシャワーフックと、からなり、上記シャワーヘッドは湯水を加圧して吐出口から吐出させる充電式の湯水加圧手段を備え、上記湯水加圧手段を充電する充電回路は、外部電源に接続されシャワーフックに内蔵された一次回路と、上記湯水加圧手段に接続されシャワーヘッドに内蔵された二次回路と、上記一次回路と上記二次回路を非接触で電気的に接続するトランスと、を有すると共に、上記トランスの一次コイルがシャワーフックの保持部に内蔵され、上記トランスの二次コイルがシャワーヘッドに内蔵されており、上記シャワーフックによる上記シャワーヘッド保持時に上記一次コイルのコアと上記二次コイルのコアが環状に並び一次回路と二次回路を非接触で電気的に接続するものであることを特徴とするシャワー装置。
【発明の詳細な説明】
【技術分野】
【０００１】
本発明は、シャワー装置に関するものである。
【背景技術】
【０００２】
従来から、カランで吐出する湯水の水圧がシャワー装置で用いるには低い際に、浴槽に湯水を供給する給湯タンクやカラン用の温水配管から分岐した貯湯タンクにシャワー用の水圧に加圧して吸排するポンプを設けることで、シャワー使用に適した水圧の湯水をシャワー装置に供給している。
【０００３】
また、シャワーヘッドに頭部マッサージ突起及び突起駆動部等の電動機構を設けて、電動機構によりマッサージ等を行い、シャワー装置によるシャワーをより快適にしたものもある。例えば、特許文献１のように、シャワーヘッドに超音波付与部を内蔵し、シャワーヘッドから吐出する湯水に超音波を付与して、シャワーによるマッサージ効果を向上させたものもある。詳しくは、シャワーヘッド内に二次電池等の充電電池部を有し、充電電池部を電源として超音波付与部を駆動させて湯水に超音波を付与してシャワーヘッドの吐出口から吐出するものである。そして、上記シャワーヘッドを保持するシャワーフックには充電電池部を充電する充電部が増設されており、シャワーヘッドをシャワーフックに支持させることで充電を行われるものである。上記充電部の電気回路とシャワーヘッド側の充電電池部を有する電気回路は非接触トランスによって非接触で電気的に接続されており、シャワーヘッドの電動機構と充電部や外部電源の間を繋ぐ配線や通電端子が浴室内に露出しないものとなっている。
【０００４】
つまり、電動機構を充電式にすると共に、充電電池と充電装置の間をトランスで電気的に接続することで、電動機構用の電気配線がホース等に絡まってシャワーヘッドの取り回しを邪魔したりシャワーフックに引っ掛り断線したりすることを防止すると共に、充電用の電気端子が洗剤や湯水等の付着により短絡や腐食等を生じて故障する等の不具合や、露出した電気端子に使用者や洗剤・湯水等が触れて漏電する等の危険を生じる懼れがなく、充電動作の不具合の発生を予防すると共に高い安全性を備えたものである。
【先行技術文献】
【特許文献】
【０００５】
【特許文献１】特開２００３−１７４９７８号公報
【発明の概要】
【発明が解決しようとする課題】
【０００６】
しかし、給湯タンクや貯湯タンクにポンプを設けると、給湯タンクを小容量のものに交換したり、浴室内あるいは浴室外に貯湯タンクの配置スペースを形成したりする等の設置場所が調整や施工費用の増加の問題がある。そして、給湯タンクや貯湯タンクのポンプを操作する操作部を浴室内に設ける必要があり、浴室内壁に設けるとシャワー使用中に操作し難く、シャワーヘッドに操作部を設けると操作部とポンプを繋ぐ配線がホースの取り回しの邪魔になり、使い勝手が悪いという問題がある。
【０００７】
また、特許文献１のように、非接触のトランスを用いてシャワーヘッド内の充電電池を充電するものでは、トランスの一次コイルを備えた充電部がシャワーフックの上面から突出して設けられている。そのため、鏡や収納棚を備えた浴室ではシャワーフックの設置位置を変更する等のレイアウトの制限や設置費用の増加が生じると共に、シャワーヘッドをシャワーフックから取り外す際に充電装置が把持の邪魔になる等の使い勝手が悪いものである。
【０００８】
そこで、本発明は上記事情に鑑みて発明したものであり、シャワーヘッドに湯水加圧手段を設けると共に、湯水加圧手段を充電する充電装置をコンパクトで且つ湯水加圧手段に直に接触させずに電気的接続を行わせることで、使い勝手を向上させたシャワー装置を提供することを課題とした。
【課題を解決するための手段】
【０００９】
上記課題を解決するために、本発明のシャワー装置は、湯水を吐出する吐出口４を有するシャワーヘッド１と、シャワーヘッド１を着脱自在で保持する保持部を有するシャワーフック６と、からなるものである。そして、上記シャワーヘッド１は湯水を加圧して吐出口４から吐出させる充電式の湯水加圧手段９を備えている。更に、上記湯水加圧手段９を充電する充電回路１６は、外部電源２５に接続されシャワーフック６に配置された一次回路１６ａと、上記湯水加圧手段９に接続されシャワーヘッド１に配置された二次回路１６ｂと、上記一次回路１６ａと上記二次回路１６ｂを非接触で電気的に接続するトランス１７と、を有すると共に、上記トランス１７の一次コイル２０がシャワーフック６の保持部に内蔵され、上記トランス１７の二次コイル２１がシャワーヘッド１に内蔵されている。上記シャワーフック６による上記シャワーヘッド１保持時に上記一次コイル２０のコアと上記二次コイル２１のコアが環状に並び一次回路１６ａと二次回路１６ｂを非接触で電気的に接続するものである。
【００１０】
このような構成としたことで、湯水を加圧してシャワーヘッド１の吐出口４から吐出することができる。そして、湯水加圧手段９側の電気回路である二次回路１６ｂと充電装置である一次回路１６ａの間をトランス１７で電気的に接続したことで、電気配線や充電端子等の直に接触する部材が一次回路１６ａと二次回路１６ｂの間で外部に露出することが防止できる。
【発明の効果】
【００１１】
上記のように、本発明のシャワー装置はシャワーヘッドに湯水加圧手段を設けたことで、貯湯タンクにシャワー用のポンプを増設あるいはシャワー用のポンプに変更しなくても加圧した湯水をシャワーヘッドの吐出口から吐出することができる。そして、一次回路をシャワーフックに内蔵したことで、湯水加圧手段を充電する充電装置の設置スペースを新たに設ける必要がなく、シャワー装置の設置スペースをコンパクトに抑えることができる。更に、着脱自在なシャワーヘッドとシャワーフックの間をトランスによって非接触で電気的に接続したことで、電気配線がホースに絡まることや、使用者やシャワー装置に付着した湯水や洗剤等による漏電の危険を防止できると共に、充電端子の短絡や腐食等の故障の発生を防止できて、安全性及び耐久性を向上することができる。また更に、トランスの一次コイルを保持部に内蔵したことで、シャワーヘッドをシャワーフックからの着脱する際に、充電回路が使用者による把持部の把持を邪魔せず、使い勝手の低下を防止することができる。
【図面の簡単な説明】
【００１２】
【図１】本発明の実施例におけるシャワー装置の設置例の斜視図である。
【図２】同上の湯水加圧手段の説明図である。
【図３】同上の充電回路の回路図である。
【図４】同上のトランスの説明図であり、（ａ）一次コイル、（ｂ）二次コイル、（ｃ）一次コイルと二次コイルの導通状態である。
【発明を実施するための形態】
【００１３】
以下、図面に基づいて本発明のシャワー装置の実施形態について説明する。
【００１４】
本発明のシャワー装置は、図１に示すように、湯水を吐出する吐出口４を有するシャワーヘッド１と、浴室の壁面等にシャワーヘッド１を保持するシャワーフック６と、貯湯タンクに貯えられた湯水をシャワーヘッド１に導入するホース２４と、からなるものである。
【００１５】
上記シャワーヘッド１は内部に湯水が流動する流動管３を備え外周面を把持部２ａとした筒形状を本体２としたものである。そして、上記本体２の筒の一端に流動管３から流動された湯水を吐出する吐出口４を備えると共に、筒の他端に流動管３に上記ホース２４を連通させて取り付ける連結管５を備えている。更に、上記シャワーフック６は、上記連結管５の外周に内周面を当接してシャワーヘッド１を保持する平面視Ｃ字形状のフック部７と、上記フック部７を上記壁面等に固定する平面視矩形状の固定部８と、からなるものである。
【００１６】
また、シャワーヘッド１は本体２と連結管５の間に湯水を加圧して吐出口４に導入する充電式の湯水加圧手段９が配置されている。そして、上記湯水加圧手段９は例えば、図２に示すように、内部に流動管３の貫通した充電式の回転加圧部９ａであり、上記回転加圧部９ａの回転駆動により流動管３内の湯水を加圧して吐出口４に導入するものである。
【００１７】
詳しくは、駆動源であるモータ１１と、流動管３内に配置されモータ１１の回転駆動により流動管３内の湯水を加圧し吐出口４に導入する羽根車１２と、モータ１１の電力供給源である充電電池部１０と、回転加圧部９ａを制御する制御部１３と、回転加圧部９ａの動作を外部操作する操作部１４と、からなるものである。そして、上記モータ１１は例えばブラシレスモータであり、永久磁石を有し羽根車１２に一体で形成されたロータ１１ｂと、流動管３より外周に配置されロータ１１ｂを回転させる電磁石を有したステータ１１ａと、からなるものである。更に、上記モータ１１の電力供給源である充電電池部１０は外部電源２５により充電可能な二次電池等からなるものである。
【００１８】
つまり、上記モータ１１により羽根車１２が回転駆動することで、湯水加圧手段９内に配置された流動管３を流れる湯水が加圧されて、吐出口４へ導入されるものであり、湯水加圧手段９はシャワー装置用のポンプとなっている。そして、上記回転加圧部９ａの下面には連結管５の外周に位置して突起部１５が突設されており、上記突起部１５はシャワーヘッド１をシャワーフック６に保持させた際にフック部７のＣ字形状の対向する端面の間の空間に位置して上記両端面に当接しフック部７による保持を補助している。更に、上記操作部１４は、モータ１１の回転のオンオフを操作するスイッチや、モータ１１の回転速度を調整する調整つまみや、モータ１１の回転のオンオフ及び回転速度の両方を兼ねたもの等である。なお、上記モータ１１の回転のオンオフを操作する操作部１４にオルタネイト動作型のスイッチを用いれば、湯水を加圧した状態を維持してシャワーヘッド１をシャワーフック６に保持できて、使い勝手をより向上して好ましい。
【００１９】
また、上記回転加圧部９ａの充電電池部１０を充電するための充電回路１６は、図３に示すように、シャワーフック６に内蔵された電気回路を充電装置としており、上記充電装置と充電電池部１０の間をトランス１７によって電気的に接続している。つまり、充電回路１６は、トランス１７の一次コイル２０を備え商用電源等の外部電源２５に電気配線等を介して接続された一次回路１６ａと、二次コイル２１を備え充電電池部１０に電気配線等を介して接続された二次回路１６ｂと、に分割されている。
【００２０】
上記一次回路１６ａはシャワーフック６に内蔵されており、外部電源２５の電力を整流する一次整流部１８と、上記一次コイル２０と、整流した電力をスイッチングして一次コイル２０に供給するスイッチング部１９と、からなるものである。そして、上記二次回路１６ｂはシャワーヘッド１に内蔵されており、上記二次コイル２１と、二次コイル２１に生じた電力を整流し充電電池部１０に流す二次整流部２２と、充電電池部１０の充電動作を外部に報知するＬＥＤ等の発光体２３ａを有する表示部２３と、からなるものである。
【００２１】
また、図４に示すように、トランス１７は電気的接続時に一次コイル２０の導線２０ｂの巻かれたコアと二次コイル２１の導線２１ｂの巻かれたコアが略同一平面上に環状で並ぶものである。詳しくは、一次コイル２０がシャワーフック６のフック部７の内部に配置されており、上記一次コイル２０がフック部７から外部に露出していないものである。そして、上記一次コイル２０のコアである一次側コア２０ａは円環の一部が切り欠かれた平面視略Ｃ字形状であり、上記一次側コア２０ａはフック部７と略同芯で配置されると共に、内径がフック部７の内周より大径で且つ外径がフック部７の外周より小径となっている。
【００２２】
また、二次コイル２１はシャワーヘッド１の突起部１５の内部に配置されており、上記二次コイル２１が突起部１５から外部に露出していないものである。そして、上記二次コイル２１のコアである二次側コア２１ａは上記一次側コア２０ａと略同径で且つ上記一次側コア２０ａの切り欠いた部位と略同形の円弧形状である。更に、上記二次側コア２１ａはシャワーヘッド１をシャワーフック６に保持させた際にフック部７と同芯で並ぶよう突起部１５内に配置されている。
【００２３】
そのため、上記突起部１５をフック部７のＣ字の対向する端部間の空間に収めてシャワーヘッド１をシャワーフック６に保持させると、トランス１７はフック部７及び突起部１５の外装を間に介在して一次側コア２０ａと二次側コア２１ａが同一平面上で環状に並ぶものとなっている。そして、一次側コア２０ａと二次側コア２１ａが環状に並ぶことで、一次回路１６ａと二次回路１６ｂが上記トランス１７により直接接触することなく電気的に接続されて、充電回路１６による充電電池部１０の充電が行われるものとなっている。更に、一次側コア２０ａと二次側コア２１ａの円周方向の間にフック部７及び突起部１５の外装が介在するため、一次側コア２０ａ及び二次側コア２１ａの端部が外部に露出しておらず、充電回路１６に浴室内の導電体、例えば使用者はもちろん、使用者やシャワー装置に付着した湯水や洗剤等が直に接触することがないものである。
【００２４】
このように、シャワーヘッド１にシャワー使用時に湯水を加圧し吐出できる湯水加圧手段９を設けたことで、貯湯タンクにシャワー用のポンプが無くても快適にシャワーを使用することができる。そして、ポンプである湯水加圧手段９がシャワーヘッド１に設けられているため、湯水加圧手段９の操作部１４を把持部２ａに設けてもポンプと操作部１４を繋ぐ電気配線がシャワー使用時に邪魔にならずに快適にシャワーを使用することができる。更に、シャワーヘッド１とシャワーフック６の間の電気的接続にトランス１７を用いると共に、トランス１７の一次側コア２０ａ及び二次側コア２１ａをフック部７及び突起部１５の外装で覆ったことで、充電端子等の電気的接続時に直に接触させる部材が外部に露出していない。
【００２５】
そして、トランス１７を介して充電電池部１０と充電装置である一次回路１６ａを電気的に接続したことで、充電電池部１０と充電装置が直に接触することがない非接触となっており、充電回路１６の一次回路１６ａと二次回路１６ｂの接点が外部に露出することがなく、且つ両回路を繋ぐ電気配線がないものである。そのため、湯水や洗剤、使用者等が充電回路１６に直に接触することがなく、充電回路１６の短絡や腐食等による故障や浴室内あるいは使用者への漏電の発生を防止できて、故障や漏電等の不具合の発生を抑制した安全性及び耐久性の向上したものとなっている。
【００２６】
また、一次回路１６ａをシャワーヘッド１を保持するシャワーフック６に内蔵したことで、充電電池部１０を充電する充電装置を設置するスペースを室内に新たに設ける必要のないシャワー装置となっている。そして、一次側コア２０ａの形状をフック部７の保持面である内周面に沿った平面視Ｃ字形状としたことで、シャワーフック６のデットスペースであったフック部７の内部が一次コイル２０の配置スペースとなり、シャワーフック６をよりコンパクトにできる。更に、把持部２ａより下方に回転加圧部９ａ及び二次コイル２１を有する突起部１５を備えたことで、把持部２ａの大型化等の形状変更を抑えてコンパクトにすることができる。そのため、シャワーヘッド１をシャワーフック６から着脱する際に、回転加圧部９ａや充電回路１６が使用者による把持部２ａの把持を邪魔せず、使い勝手のよいものとなっている。
【００２７】
また、本発明のシャワー装置は貯湯タンクがシャワー用のポンプを備えたものに取付けて湯水加圧手段９を貯湯タンクに備えたポンプで加圧した湯水を更に加圧する補助ポンプとして用いてもよい。つまり、設置位置の都合やシャワーヘッド１の吐出口４を噴射面積の広い大径のものに変更する等により貯湯タンクのポンプでシャワー使用時の湯水に十分な水圧を与えられない場合に、湯水加圧手段９で湯水を更に加圧して快適な水圧でシャワーを使用可能としたものである。
【００２８】
更に、既存のシャワー装置で十分な水圧の湯水をシャワーの吐出口から吐出できる場合でも、本発明のシャワー装置を取り付けることで、貯湯タンクのポンプ等による既存の水圧より高い水圧にして使用者にシャワーによるマッサージ効果を与えるものや、湯水加圧手段９によりシャワーヘッド１の吐出口４から吐出する湯水の水圧を使用者が操作部１４で調整可能としたもの等としてもよい。
【００２９】
もちろん、湯水加圧手段９はロータ１１ｂと別部材で湯水を加圧流動させるインペラやプロペラ等であってもよい。また、シャワー装置のない洗面台であってもカランをシャワー用のホース２４を備えたものやシャワー用に湯水を分岐可能なものに変更して本発明を取り付けるだけで、洗面台本体の交換や洗面台の下部収納部に新たにポンプを設置しなくても、快適な水圧のシャワーを使用可能な洗面台に取り換えることができる。
【符号の説明】
【００３０】
１  シャワーヘッド
４  吐出口
６  シャワーフック
７  フック部
９  湯水加圧手段
１６  充電回路
１６ａ  一次回路
１６ｂ  二次回路
１７  トランス
２０  一次コイル
２１  二次コイル
２５  外部電源
【図１】
0005588159.tif 000002
【図２】
0005588159.tif 000003
【図３】
0005588159.tif 000004
【図４】
0005588159.tif 000005